(57)【要約】【課題】  本発明は、手荷物の手提げ部分を腕にさげて持ち運ぶ際に、腕に当てる装身具を兼ねた腕当てに関するもので、手提げ部分が腕に食込むのを防ぐファッショナブルな腕当てを提供する。【解決手段】  心材を内包する袋体の中央部を折り重ねて積層構造とすることで、荷重の分散緩和を図り、肘を曲げたときに出来る横ジワのラインと腕の最大部との間でベルト固定することにより手首方向への腕当ての移動を防ぎ、手提げ部分と接する部分に凸起を配することで手提げ部分の移動も阻止し、袋体の表面や外周にフリルを施すことでファッション性を付加したことが特徴である。【選択図】図１
2010202277.tif 000002
【特許請求の範囲】
【請求項１】
袋体の中央部を折り返して二段重ねとなった上段部と下段部とを係合し、ベルトで腕に装着する装身具を兼ねた腕当て。
【請求項２】
袋体に心材を内包する請求項１の装身具を兼ねた腕当て。
【請求項３】
肘を曲げたときに内側にできる横ジワのラインと前腕最大部との間にベルトを設けた請求項１の装身具を兼ねた腕当て。
【請求項４】
使用時、手荷物の手提げ部分と接する部分に凸起を配した請求項１の装身具を兼ねた腕当て。
【請求項５】
折り返し部に孔または切込みを有する請求項１の装身具を兼ねた腕当て。
【発明の詳細な説明】
【技術分野】
【０００１】  本発明は、手荷物の手提げ部分を腕にさげて持ち運ぶ際に、腕に当てる装身具を兼ねた腕当てに関するものである。
【背景技術】
【０００２】  従来、デパートやスーパー等で、買物をしたとき支給されるレジ袋や紙袋に品物を入れて、手荷物として持つときは、直に腕にさげるのが一般的である。
荷物が重いと、袋の手提げ部分が腕にくい込み、腕がしびれたり荷物をおろしても暫くは腕の表面に凹みの痕跡が残り、医学的にも外見上も好ましくなかった。
また、腕が傾斜して袋が手首の方へずれると再度、腕にかけ直す必要があった。
上述の課題を解決する腕当てとして、例えば、登録実用新案第３０９９７３５号に記載された手荷物手提げ部腕かけ用補助具が提案されている。
この補助具は、レジ袋及び紙袋の手提げ部分に、腕当て部を通し、２ヶ所の腕当て布を重ねることにより、補助具の中心に複数のレジ袋や紙袋の手提げ部分を収め、手荷物の安定をはかるものである。
腕当て部が腕の内側にあたるように補助具に腕を通すことにより、荷物による腕への食込みを防ぎ、且つ、手が自由に使えることが記載されている。
【実用新案文献１】
実用新案登録第３０９９７３５号公報
【発明の開示】
【発明が解決しようとする課題】
【０００３】  この従来の補助具は、補助具と手荷物の手提げ部との交点を軸にして手荷物が揺れたり、荷物をさげた腕が傾斜した場合、荷物がずれて安定性を欠くという問題があった。
さらに、腕から手荷物下端までの長さが補助具の分だけ延びて、足元に荷物が絡みやすかった。
また、買物袋を追加する場合、一方の腕当て部を腕から外すと、他方の腕当て部に荷重が掛かり、荷物を収めるのに難があった。
また、腕にさげる荷物が発生するまでは、何れかに収納しておくことが必要であった。
本発明は、これらの問題点を解決するためになされたものである。
【課題を解決するための手段】
【０００４】  腕に手荷物をさげる時、袋の手提げ部による腕への集中荷重を分散緩和させる袋体上段部と袋の手提げ部による袋体上段部の回動を阻止する袋体下段部とを折り重ねて係合し、前腕に保持するベルト部より構成される。
【発明の効果】
【０００５】  肘を少し曲げた腕に載せて面ファスナで着脱できるため、腕の適所に着脱し易く、布の窪みや凸起に袋の手提げ部分が繋止されるため、荷物がずれにくい。
外縁はアップリケ、フリルなど装飾に供されてファッション性に優れ、布製であるため洗濯が可能な上、各種の色柄を選べ、腕当てとして使用しない時も腕の装身具として使用できる。
また、持ち歩くときは使用時と同じ面ファスナを活かしてコンパクトになるため、かさ張ることが避けられる。
【発明を実施するための最良の形態】
【０００６】  以下、本発明を実施するための形態を図に基づいて説明する。
図１は、腕当て（Ｓ）の表側を示した斜視図である。
図２は、裏側を示した斜視図である。
図３は、腕当て（Ｓ）を展開した状態の表側を示した正面図である。
図４は、その背面図であり、裏側を示し、図３とは上下が逆となって、図３で上側に位置していた袋体上段部（１１）は、図４では下側に位置している。
図５は、この腕当て（Ｓ）の装着方法を説明するための斜視図である。
図６は、使用状態を示した外観図である。
腕当て（Ｓ）は、可撓性を有する心材（４）を収容した袋体（１）とその袋体（１）の略中央で折り返して腕に装着するためのベルト部（２）を有する。
袋体（１）は、心材（４）とその一方を覆う表布（７）と他方を覆う裏布（１０）より成り、図３でベルト部（２）より上方部分を形成する略円形の袋体上段部（１１）と、同じく図３でベルト部（２）を含む下方部分を形成する略矩形の袋体下段部（１２）とが一体として構成されている。
袋体上段部（１１）と袋体下段部（１２）との境には、その中央部に貫通孔（３）を設ける。
この貫通孔（３）の両側で袋体上段部（１１）と袋体下段部（１２）とが繋がっており、図３で貫通孔（３）の下側にベルト部（２）が配されている。
袋体（１）の表布（７）と心材（４）と裏布（１０）とは、形状を同じくして、その外縁および貫通孔の周囲は縫い合わせる。
心材（４）は、表布（７）および裏布（１０）に較べ、その厚さが厚い（例えばデニム生地）方が望ましい。
表布（７）の外側で袋体上段部（１１）には複数の凸起（６）が突出し、内側には凸起（６）の直下でかつ、ベルト部（２）の長手方向と直交する方向に複数のシート（８）を配する。
シート（８）は略矩形で表布（７）および裏布（１０）に較べ、剛性が高い方が望ましい。（例えばナイロンベルト生地）
凸起（６）は雄ホックであり、表布（７）にシート（８）で裏打ちして縫い付ける。
裏布（１０）の外側で袋体上段部（１１）には雌型となるループ面を形成したパイル生地の面ファスナ（１４）を縫い付け、貫通孔（３）で折り返した時の対向位置となる袋体下段部（１２）には雄型となるフック面が形成された固定部材の面ファスナ（１５）を縫い付ける。
裏布（１０）の内側で袋体下段部（１２）には、その上端、即ち図３で貫通孔（３）の下側がベルト部（２）の幅方向の片端が来るようにベルト部（２）を縫い付け、裏布（１０）の外側で内包するベルト部（２）と重なる位置には、ベルト部（２）を巻き回して固定するための面ファスナ（５）を取り付ける。
ベルト部（２）はゴム引き布などの伸縮材から成り、腕に巻き締めるために十分な長さと前腕最大部と肘を曲げたときに出来る横ジワのライン間との幅を有している。
その幅寸法は厳しく限定されないが、前腕最大部を超えない幅が望ましい。
該ベルト部（２）は袋体下段部（１２）に縫い込まれた端部にループ紐（１３）を有し、他端部の表側には対向部位との間で係合可能な面ファスナ（９）を取り付ける。
次に装身具としての装飾方法について説明する。
袋体上段部（１１）の外縁には黄色の布でギャザーを寄せてフリルを形成し、ヒマワリの頭花に擬え、凸起（６）はヒマワリの種子に見立てている。
また凸起（６）を雄ホックの替りに釦を使用することもできる。
その場合、各種の釦から好みの選択をすることで装飾の多様化が図れる。
本発明は以上の構成である。
図３および図４に示した本実施形態の腕当て（Ｓ）は左右兼用である。
いずれの腕に装着しても良いため、一方の腕への装着方法を説明する。
まず装着者は肘を少し曲げて、上腕の内側に腕当て（Ｓ）の袋体上段部（１１）の表面（オモテ面）を当てる。
肘の内側に出来る横ジワが貫通孔の略中央に位置するように本腕当て（Ｓ）を前腕に載せる。
次に指先でベルト部（２）の端部のループ紐（１３）を押える。
ベルト部（２）に張力を付与しながら腕の周りを一周させる。
面ファスナ（５）と面ファスナ（９）を係合してベルト部（２）を前腕に固定する。
この装着状態を図５に示す。
続いて、袋体上段部（１１）の先端が袋体下段部（１２）の先端に重なるまで貫通孔（３）の両側で折り返し、面ファスナ（１４）と対向部位の面ファスナ（１５）を係合することで袋体上段部（１１）の裏面と袋体下段部（１２）の裏面とが係合されて、袋体上段部（１１）の表面（オモテ面）は所定の位置に固定され、腕当て（Ｓ）の装着は完了する。
以上、本発明の代表的と思われる実施例について説明したが、本発明は必ずしもこれらの実施例の構造のみに限定されるものではない。
本発明にいう構成要件を備え、かつ本発明にいう目的を達成し、上記にいう効果を有する範囲内において適宜改変して実施することができるものである。
【図面の簡単な説明】
【０００７】
【図１】  本発明を表側から見た斜視図である。
【図２】  本発明を裏側から見た斜視図である。
【図３】  本発明の表側の展開状態を示した正面図である。
【図４】  本発明の裏側の展開状態を示した背面図である。
【図５】  本発明の装着方法を示した斜視図である。
【図６】  本発明の使用状態を示した外観図である。
【符号の説明】
【０００８】      Ｓ  腕当て
１  袋体
２  ベルト部
３  貫通孔
４  心材
５  面ファスナ
６  凸起
７  表布
８  シート
９  面ファスナ
１０  裏布
１１  袋体上段部
１２  袋体下段部
１３  ループ紐
１４  面ファスナ
１５  面ファスナ
【図１】
2010202277.tif 000003
【図２】
2010202277.tif 000004
【図３】
2010202277.tif 000005
【図４】
2010202277.tif 000006
【図５】
2010202277.tif 000007
【図６】
2010202277.tif 000008